(57)【要約】【課題】  光触媒を担持したフィルタの交換用のフィルタを、収納されている間における機能低下を防止し、収納スペースを小さくすることが可能な空気清浄機を提供する。【解決手段】  空気清浄機１は、プリーツ状の光触媒フィルタ４３を搭載している。その交換用の光触媒フィルタ４３は、小さく折り畳むことができる。光触媒フィルタ４３は、使用前には、小さく折り畳んだ状態で梱包され、本体ケーシング１１の内側の面に形成された交換用フィルタ収納部Ａに収納されている。【選択図】      図１０
2006014849.tif 000002
【特許請求の範囲】
【請求項１】
光触媒を担持した折り畳み可能なフィルタ（４３）と、
前記フィルタ（４３）が取り付けられる本体フレーム（１１）と、
前記本体フレーム（１１）に形成されており、前記フィルタ（４３）の交換用フィルタ（４３）を収納可能な収納部（Ａ）と、
を備えている空気清浄機（１）。
【請求項２】
前記フィルタ（４３）は、プリーツ状である、
請求項１に記載の空気清浄機（１）。
【請求項３】
前記プリーツ形状のフィルタ（４３）のズレを防止するズレ防止溝（４６ａ）が形成されたフィルタ保持フレーム（４６）をさらに備えた、
請求項２に記載の空気清浄機（１）。
【請求項４】
前記交換用フィルタ（４３）は、個々に梱包されて前記収納部（Ａ）に収納される、
請求項１から３のいずれか１項に記載の空気清浄機（１）。
【請求項５】
前記収納部（Ａ）は、前記本体フレーム（１１）におけるフィルタ取付面側に形成されている、
請求項１から４のいずれか１項に記載の空気清浄機（１）。
【請求項６】
前記収納部（Ａ）は、前記交換用フィルタ（４３）を複数収納している、
請求項１から５のいずれか１項に記載の空気清浄機（１）。
【発明の詳細な説明】
【技術分野】
【０００１】
本発明は、内部に複数のフィルタを搭載し、交換用のフィルタを収納する空気清浄機に関する。
【背景技術】
【０００２】
近年、空気に浮遊する臭気、塵埃、菌、およびウィルスなどを除去処理する空気清浄機が普及している。
このような空気清浄機の中には、オゾンを利用して臭気分子、塵埃、菌、およびウィルスなどを分解、死滅、あるいは不活化するものまで存在する。通常、オゾンは、オゾン発生器によって生じ、近傍に存在する臭気分子、菌、およびウィルスなどを分解、死滅、あるいは不活化する。このため、屋内の空気だけではなく空気清浄機の内部も清潔に保たれ、二次感染などが発生するおそれを低減することができる。
【０００３】
例えば、特許文献１には、プレフィルタ、プラズマイオン化部、静電フィルタ、酸化チタンフィルタ、光触媒フィルタ、インバータランプ等をフィルタ類として備えた空気清浄機が開示されている。この空気清浄機によれば、比較的大きい塵や埃をプレフィルタで捕集した後、プラズマイオン化部を通過して帯電した煙や埃等を静電フィルタで吸着させる。そして、インバータランプから光触媒フィルタに紫外線を照射して光触媒を活性化させ、光触媒フィルタを通過する空気を光触媒作用によって浄化することができる。
【特許文献１】特開２００４−６０９４７号公報（平成１６年２月２６日公開）
【発明の開示】
【発明が解決しようとする課題】
【０００４】
しかしながら、上記従来の空気清浄機では、以下に示すような問題点を有している。
すなわち、上記公報に開示された空気清浄機では、光触媒を担持した光触媒フィルタとしてロール式のものを採用している。このため、フィルタの交換時にはロールに巻かれた部分をほどいて使用することになり、光触媒を担持したようなフィルタでは光触媒の機能を使用前に低下させるおそれがある。さらに、ロール式のフィルタでは、比較的大きい状態で装置内に収納されることになるため、収納スペースを省スペース化することが困難であった。
【０００５】
本発明の課題は、光触媒を担持したフィルタの交換用のフィルタを、収納されている間における機能低下を防止し、収納スペースを小さくすることが可能な空気清浄機を提供することにある。
【課題を解決するための手段】
【０００６】
第１の発明に係る空気清浄機は、フィルタと、本体フレームと、収納部とを備えている。フィルタは、光触媒を担持しており、折り畳みが可能である。本体フレームには、フィルタが取り付けられる。収納部は、本体フレームに形成されており、取付前の交換用フィルタを収納可能である。
ここでは、光触媒を担持したフィルタの交換用フィルタを折り畳んで収納するための収納部を本体フレームに備えている。
【０００７】
これにより、例えば、光触媒を担持したプリーツ状等のフィルタを折り畳んで１枚ずつ梱包した状態で収納部へ収納することができるため、収納中に光触媒の機能を低下させることなく取り付けることができる。また、折り畳み可能なフィルタを小さく折り畳んで収納することができるため、交換用のフィルタを内部に収納する場合でも収納スペースを従来のロール式フィルタや複数のフィルタが一体化されたものよりも小さくして装置の小型化が図れる。
【０００８】
第２の発明に係る空気清浄機は、第１の発明の空気清浄機であって、フィルタは、プリーツ状である。
ここでは、フィルタがプリーツ状であるため、折り畳みやすいという利点がある。また、プリーツ状のフィルタは、ロール式のフィルタと比較して集塵面積が広く圧損が小さいため、集塵効率の良い空気清浄機を得ることができる。
【０００９】
第３の発明に係る空気清浄機は、第２の発明の空気清浄機であって、プリーツ形状のフィルタのズレを防止するズレ防止溝が形成されたフィルタ保持フレームをさらに備えている。
ここでは、プリーツ状のフィルタは取付前には折り畳んだ状態で収納されているため、取付時に広げてもフィルタが折り畳む方向へずれやすいという問題があるが、フィルタを保持するフレームにフィルタのズレ防止溝を形成している。
【００１０】
これにより、プリーツ状フィルタのように折り畳まれて収納されており、使用する際に広げてセットされるようなフィルタでも、重力や振動等によってずれてしまうことを防止して、フィルタのズレに起因する集塵不良等の発生を回避できる。
第４の発明に係る空気清浄機は、第１から第３の発明のいずれか１つの空気清浄機であって、フィルタは、個々に梱包されて収納部に収納される。
【００１１】
ここでは、フィルタを１個ずつ梱包して内部に収納しているため、光触媒を担持したフィルタであっても、収納している間にその機能を低下させることを防止できる。よって、交換したフィルタを機能が高い状態で使用することができる。
第５の発明に係る空気清浄機は、第１から第４の発明のいずれか１つの空気清浄機であって、収納部は、本体フレームにおけるフィルタ取付面側に形成されている。
【００１２】
ここでは、交換用フィルタを本体フレームにおけるフィルタの取付面側、つまり空気清浄機の内部に形成している。
これにより、フィルタを交換する際には、フィルタを取り外すと外部に露出する収納部から新しいフィルタを取り出してそのまま取り付けることが可能になる。よって、効率よくフィルタの交換を行うことが可能になる。
【００１３】
第６の発明に係る空気清浄機は、第１から第５の発明のいずれか１つの空気清浄機であって、収納部は、交換用フィルタを複数収納している。
ここでは、収納部に複数の交換用フィルタを収納しているため、従来のロール式のフィルタのように、複数枚の交換用フィルタを空気清浄機の内部に常時搭載している状態とすることができる。
【発明の効果】
【００１４】
第１の発明に係る空気清浄機によれば、収納中に光触媒の機能を低下させることを防止し、交換用フィルタの収納スペースを従来のロール式フィルタや複数のフィルタが一体化されたものよりも小さくして装置の小型化が図れる。
第２の発明に係る空気清浄機によれば、折り畳みやすく、ロール式のフィルタと比較して集塵面積が広く圧損が小さいため、集塵効率を向上させることができる。
【００１５】
第３の発明に係る空気清浄機によれば、フィルタのズレに起因する集塵不良等の発生を回避できる。
第４の発明に係る空気清浄機によれば、交換したフィルタを機能が高い状態で使用することができる。
第５の発明に係る空気清浄機によれば、効率よくフィルタの交換を行うことが可能になる。
【００１６】
第６の発明に係る空気清浄機によれば、複数枚の交換用フィルタを空気清浄機の内部に常時搭載している状態とすることができる。
【発明を実施するための最良の形態】
【００１７】
本発明の一実施形態に係る空気清浄機について、図１〜図１１を用いて説明すれば以下の通りである。
＜空気清浄機の概略構成＞
本実施形態の空気清浄機１は、図１および図２に示すように、室内の空気を清浄に保ち室内の快適性を向上させるために、室内の床に設置される。空気清浄機１は、本体ケーシング（本体フレーム）１１と、本体ケーシング１１の正面側に設けられる正面パネル２１とを備えている（図１参照）。
【００１８】
＜本体ケーシング１１＞
本体ケーシング１１は、吹き出し口１２と、上面吸い込み口１３と、側面吸い込み口１４とを有している（図１参照）。吹き出し口１２は、本体ケーシング１１の上面部１１ａの背面側端部に設けられる。吹き出し口１２は、清浄後の空気を空気清浄機１から上方に向かって吹き出すための開口である。上面吸い込み口１３と側面吸い込み口１４とは、空気清浄機１内において室内空気を清浄するために、室内空気を空気清浄機１内に吸い込むための略矩形の開口である。上面吸い込み口１３は、吹き出し口１２が設けられる面と同じ本体ケーシング１１の上面部１１ａの正面側端部に設けられる。上面吸い込み口１３の横方向の長さは、正面パネル２１の横方向の長さと略同一である。側面吸い込み口１４は、本体ケーシング１１の左右の側面部１１ｂの正面側にそれぞれ設けられる一対の開口である。側面吸い込み口１４の縦方向の長さは、正面パネル２１の縦方向の長さと略同一である。
【００１９】
＜正面パネル２１＞
正面パネル２１は、本体ケーシング１１の前方に設けられており、本体ケーシング１１の内部に設置される空気中に含まれる微粒子を除去するための空気清浄ユニット４０等を覆っている。この正面パネル２１は、正面吸い込み口（吸気口）２２を有する。正面吸い込み口２２は、正面パネル２１の略中央部に設けられる室内空気を空気清浄機内に吸い込むための開口である。また、正面パネル２１には、後述する表示パネルが外部から目視できるように表示パネル開口２３ａ，２３ｂ，２３ｃが設けられている。表示パネル開口２３ｂは、正面吸い込み口２２と一体的に形成されている。さらに、正面パネル２１には、超音波発生空気清浄機から発生される超音波を室内の広い範囲に送るための超音波開口２４が設けられている。
【００２０】
また、この正面パネル２１の高さは、空気清浄機１の奥行きより長い構成となっている。
＜本体ケーシング１１内の構成＞
本体ケーシング１１内には、ファンモータ（送風部）３０と、ファンモータ３０によって回転駆動される送風ファン（送風部）３１とが設けられている（図３参照）。ファンモータ３０としては、インバータ回路により周波数制御されるインバータモータを採用している。送風ファン３１としては、遠心ファンを採用している。このため、送風ファン３１は、回転軸方向（第１空間側）から空気を吸い込み、回転中心から半径方向外側（第２空間側）に向かって空気を吹き出す。
【００２１】
また、空気清浄機１は、後述する空気清浄ユニット４０が取り付けられるスペースの奥側（空気流路における下流側）に、第１仕切り板５１を有している（図９参照）。第１仕切り板５１は、送風ファン３１の上流側の第１空間と、送風ファン３１の下流側の第２空間とを仕切っている。送風ファン３１の上流側の第１空間には、空気清浄ユニット４０が収納される。送風ファン３１の下流側の第２空間には、ファンモータ３０、送風ファン３１および送風ファン３１の側面（送風ファンの回転軸を中心とする円周方向）に沿って形成されたスクロール５２が収納されている。そして、送風ファン３１から吹き出される空気が、スクロール５２に沿って吹き出し口１２から室内へ送り出される。
【００２２】
＜空気清浄ユニット４０＞
空気清浄機１は、本体ケーシング１１の内方に、図３に示すように、各吸い込み口（上面吸い込み口１３、側面吸い込み口１４、正面吸い込み口２２）から吸い込んだ室内空気中に含まれる異物を除去するための空気清浄ユニット４０を備えている。
空気清浄ユニット４０は、プレフィルタ４１、放電部（活性種生成部）４２、光触媒フィルタ（プリーツ状のエアフィルタ）４３およびプラズマ触媒フィルタ４４を備えている。
【００２３】
〔プレフィルタ４１〕
プレフィルタ４１は、空気流における最も上流側に配置されており、比較的大きなホコリや塵を除去する。プレフィルタ４１は、図５に示すように、ネット４１０とネット４１０を保持するフレーム４１１とから構成されている。ネット４１０は、ポリプロピレン（以下、ＰＰという）製の糸状の樹脂網であって、本体ケーシング１１内に吸い込まれる空気に含まれる比較的大きな塵埃などが付着する。また、ネット４１０を構成する繊維は、図６に示すように、ＰＰによって構成される芯４１０ａと同じくＰＰによって構成される被覆層４１４とからなる。被覆層４１４には、可視光線型の光触媒４１２とカテキン４１３とが空気側に露出するように担持されている。可視光線型の光触媒４１２は、可視光線により光触媒作用が活性化される酸化チタンなどを含んでおり、ネット４１０に付着する塵埃などに含まれるカビ菌や細菌などの菌やウィルスを除去する。カテキン４１３は、ポリフェノールの一種であって、エピカテキン、エピガロカテキン、エピカテキンガレート、エピガロカテキンガレートなどの総称である。このカテキン４１３は、ネット４１０に付着する塵埃などに含まれるカビ菌や細菌などの菌の繁殖を抑制したりウィルスを不活化したりする。
【００２４】
〔放電部４２〕
放電部４２は、主に、対向電極４２２、イオン化線４２１、およびストリーマ放電電極４２３から構成されている。対向電極４２２は、方形波形状の断面を有する金属板であって、実質的に電極として機能する実電極部４２２ａと複数のスリット部４２２ｂとから成る。なお、スリット部４２２ｂは、空気を後方側に流す役割を果たす（図４（ａ）の白抜き矢印参照）。イオン化線４２１は、対向電極４２２の空気流れ方向（図４（ａ）の白抜き矢印参照）上流側に配置される。なお、このとき、イオン化線４２１は、実電極部４２２ａ間に１つずつ配置される。また、このイオン化線４２１は、微小径のタングステン線材などによって形成され、放電電極として用いられる。ストリーマ放電電極４２３は、電極保持部４２３ａと電極部４２３ｂとを有し、電極部４２３ｂは、電極保持部４２３ａに対して樹脂を挟んで固定されている。そして、このストリーマ放電電極４２３は、図４（ｃ）に示されるように、対向電極４２２の空気流れ方向（図４（ｃ）の白抜き矢印参照）下流側に配置される。
【００２５】
なお、これらの電極４２１，４２２，４２３のうち、対向電極４２２とイオン化線４２１とは、プレフィルタ４１を通過した空気中に浮遊している比較的小さな塵埃を耐電させる役割を担う。一方、対向電極４２２とストリーマ放電電極４２３とは、後述するチタンアパタイト担持フィルタ４３１に供給する活性種を生成する役割を担う。以下、それぞれの電極の組合せについて詳述する。
【００２６】
（対向電極とイオン化線）
この放電部４２において、イオン化線４２１と実電極部４２２ａとの間に高電圧が印加されると、両電極４２１，４２２間に放電が生じる。この結果、両電極４２１，４２２間を通過する塵埃などがプラス電荷に帯電される。そして、帯電された塵埃は、スリット部４２２ｂを介して後方に供給され、後述する光触媒フィルタ４３の静電フィルタ４３０によって静電吸着される。また、この際、塵埃に含まれるウィルスや菌なども帯電されるため、後述するチタンアパタイトへのウィルスや菌の吸着効率が高まる。
【００２７】
（対向電極とストリーマ放電電極）
この放電部４２において、ストリーマ放電電極４２３と対向電極４２２との間に直流、交流、またはパルスの放電電圧が印加されると、両電極４２２，４２３間に図４（ｄ）に示されるようなストリーマ放電が生じる。このようにして、ストリーマ放電が生じると、放電場に低温プラズマが生成する。そして、この低温プラズマにより、高速電子、イオン、オゾン、ヒドロキシラジカルなどのラジカル種や、その他の励起分子（励起酸素分子、励起窒素分子、励起水分子）などが生成される。そして、これらの活性種は、空気流れに乗って、後述する光触媒フィルタ４３のチタンアパタイト担持フィルタ４３１に供給される。
【００２８】
なお、これらの活性種は、非常にエネルギーレベルが高く、チタンアパタイト担持フィルタ４３１に到達する前であっても、空気に含まれるアンモニア類や、アルデヒド類、窒素酸化物など小さな有機分子を分解・消臭する能力を有する。
〔光触媒フィルタ４３〕
光触媒フィルタ４３は、プリーツ状に形成されており、図７に示すように、静電フィルタ４３０およびチタンアパタイト担持フィルタ４３１を張り合わせて形成されている。なお、この光触媒フィルタ４３は、静電フィルタ４３０が送風ファン３１による空気流れの上流側に、チタンアパタイト担持フィルタ４３１が空気流れの下流側に面するように配置される。静電フィルタ４３０は、放電部４２を通過する際に帯電させられた塵埃などを吸着する。チタンアパタイト担持フィルタ４３１は、静電フィルタ４３０を通過する塵埃などを吸着する。なお、このチタンアパタイト担持フィルタ４３１は、プレフィルタ４１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、放電部４２から供給される活性種により光触媒機能が活性化され、ウィルスやカビ菌、細菌などを不活化または死滅させる。
【００２９】
また、この光触媒フィルタ４３は、図８（ａ）に示すように、プリーツ状に形成されているため、図８（ｂ）に示すように、折り目に合わせて容易に折り畳むことが可能である。このため、光触媒フィルタ４３は、図８（ｂ）に示す折り畳んだ状態で図８（ｃ）に示すように梱包されて梱包物４５となり、第１仕切り板５１の下方に形成された交換用フィルタ収納部（収納部）Ａに収納される（図９参照）。
【００３０】
なお、この交換用フィルタ収納部Ａは、図９および図１０に示すように、第１仕切り板５１に対して垂直な方向に立設された第２仕切り板５３を上面とし、下面と側面とを本体ケーシング１１の下面と側面とする収納空間であって、図８（ｃ）に示す交換用の光触媒フィルタ４３を１本ずつ梱包した梱包物４５を６本収納することができる。
さらに、光触媒フィルタ４３は、図１０に示すように、プラズマ触媒フィルタ４４とともにフレーム４７とフィルタ保持フレーム４６との間に保持された状態で空気清浄機１の内部にセットされる。そして、フィルタ保持フレーム４６には、光触媒フィルタ４３が重力や振動等によって折り目に沿って折り畳まれてしまうことを防止するためのズレ防止溝４６ａが光触媒フィルタ４３との接触面側に形成されている。このズレ防止溝４６ａに光触媒フィルタ４３の凸部分がはまり込むことで光触媒フィルタ４３のズレを防止することができる。
【００３１】
〔プラズマ触媒フィルタ４４〕
プラズマ触媒フィルタ４４には、アナターゼ型の二酸化チタンが担持されている。プラズマ触媒フィルタ４４では、光触媒フィルタ４３に吸着されなかった空気中のウィルスや菌などを吸着する。このプラズマ触媒フィルタ４４では、吸着された菌やウィルスなどが活性種により活性化された二酸化チタンによって死滅あるいは不活化される。
【００３２】
［本空気清浄機の特徴］
（１）
本実施形態の空気清浄機１は、図３に示すように、プリーツ状の光触媒フィルタ４３を搭載している。そして、その交換用の光触媒フィルタ４３は、図８（ｂ）に示すように、小さく折り畳むことができる。さらに、光触媒フィルタ４３は、使用前には、図９および図１０に示すように、図８（ｂ）に示す小さく折り畳んだ状態で梱包され、本体ケーシング１１の内側の面に形成された交換用フィルタ収納部Ａに収納されている。
【００３３】
これにより、光触媒を担持したフィルタであっても使用開始前にその機能を低下させることのないように１枚ずつ梱包して交換用フィルタ収納部Ａへ収納することができる。また、光触媒フィルタ４３はプリーツ状であるため、空気清浄機１の内部に形成された収納スペースを小さくすることが可能になる。
さらに、本体ケーシング１１の内側の面、つまり本体ケーシング１１の空気清浄ユニット４０の取付面側に交換用フィルタ収納部Ａに交換用の光触媒フィルタ４３を収納しているため、フィルタの交換時に外部に露出する交換用フィルタ収納部Ａから新しいフィルタを取り出してそのまま取り付けることができる。
【００３４】
（２）
本実施形態の空気清浄機１では、折り畳み可能なフィルタとして、図８（ａ）および図８（ｂ）に示すようなプリーツ状の光触媒フィルタ４３を採用している。
これにより、プリーツ状の折り目に沿って光触媒フィルタ４３を容易に折り畳むことができる。また、プリーツ状のフィルタは、ロール式の平面フィルタと比較して集塵面積が広く、圧損が小さいという利点があるため、集塵効率の高い空気清浄機１を得ることができる。
【００３５】
（３）
本実施形態の空気清浄機１では、図８（ｂ）に示すように折り畳んだ光触媒フィルタ４３を、図８（ｃ）に示すように１枚ずつ梱包して交換用のフィルタとして搭載している。
これにより、交換用フィルタ収納部Ａへ収納している間に、光触媒の機能を低下させることを回避して、常に高機能状態の光触媒フィルタを取り付けることができる。
【００３６】
（４）
本実施形態の空気清浄機１では、図１０および図１１に示すように、光触媒フィルタ４３を保持するフィルタ保持フレーム４６に、光触媒フィルタ４３のズレを防止するズレ防止溝４６ａが形成されている。
これにより、光触媒フィルタ４３が空気清浄機１内にセットされた後で振動等によってずれてくることを防止できる。よって、光触媒フィルタ４３のズレに起因する集塵不良等の発生も防止することができる。
【００３７】
（５）
本実施形態の空気清浄機１では、交換用フィルタ収納部Ａに複数の光触媒フィルタ４３を収納している。
これにより、１枚ごとのプリーツ状のフィルタであっても、従来のロール式のフィルタと同様に複数の交換用フィルタを常時空気清浄機１の内部に搭載しておくことができる。
【００３８】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、図３に示すように、光触媒フィルタ４３の配置をプラズマ触媒フィルタ４４と放電部４２との間に配置した例を挙げて説明した。しかし、本発明はこれに限定されるものではない。
【００３９】
光触媒フィルタ４３の配置に関係なく、上記実施形態で得られる効果と同様の効果を得ることができる。
（Ｂ）
上記実施形態では、交換用フィルタ収納部Ａを、本体ケーシング１１の内側の面、つまり空気清浄ユニット４０の取付面側に形成した例を挙げて説明した。しかし、本発明はこれに限定されるものではない。
【００４０】
例えば、本体ケーシング１１の外側の面に交換用フィルタ収納部Ａが形成されていてもよい。
ただし、上記実施形態のように、本体ケーシング１１の空気清浄ユニット４０の取付面側に形成することは、光触媒フィルタ４３の交換時にそのまま新しい光触媒フィルタ４３を取り出すことができる点で望ましい。
【００４１】
（Ｃ）
上記実施形態では、光触媒フィルタ４３にチタンアパタイトが担持された例を挙げて説明した。しかし、本発明はこれに限定されるものではない。
例えば、チタンアパタイトと、従来の光半導体触媒との混合物が光触媒フィルタ４３に担持されてもよい。なお、上記従来の光半導体触媒とは、例えば、二酸化チタン、チタン酸ストロンチウム、酸化亜鉛、酸化タングステン、および酸化鉄などに代表される金属酸化物、Ｃ60などのフラーレンに代表される炭素系の光半導体触媒、遷移金属からなるナイトライド、オキシナイトライドなどである。
【００４２】
（Ｄ）
上記実施形態では、光触媒フィルタ４３にチタンアパタイトが担持された例を挙げて説明した。しかし、本発明はこれに限定されるものではない。
例えば、アパタイトが光触媒フィルタ４３に担持されてもよい。
なお、上記アパタイトとは、例えば、ハイドロキシアパタイト、フルオロアパタイト、およびクロロアパタイト、ならびにリン酸三カルシウムおよびリン酸水素カルシウムなどである。
【００４３】
（Ｅ）
上記実施形態では、光触媒フィルタ４３にチタンアパタイトが担持された例を挙げて説明した。しかし、本発明はこれに限定されるものではない。
例えば、従来の光半導体触媒とアパタイトとの混合物が光触媒フィルタ４３に担持された構成であってもよい。
【００４４】
（Ｆ）
上記実施形態では、光触媒フィルタ４３を形成する繊維の被覆層にチタンアパタイトが担持された例を挙げて説明した。しかし、本発明はこれに限定されるものではない。
例えば、光触媒フィルタ４３の空気流れ下流側の表面にチタンアパタイトが担持あるいはコーティングされてもよい。
【産業上の利用可能性】
【００４５】
本発明の空気清浄機は、光触媒を担持したフィルタが収納中に機能を低下させることなく、小さなスペースに収納することができるという効果を奏することから、空気清浄機に加えて空気調和機等の他の装置に対しても広く適用可能である。
【図面の簡単な説明】
【００４６】
【図１】本発明の一実施の形態に係る空気清浄機の外観斜視図。
【図２】図１の空気清浄機の正面図。
【図３】図１の空気清浄機が内蔵している空気清浄ユニットの分解斜視図。
【図４】（ａ）〜（ｃ）は、放電部を構成する各部を示す斜視図。
【図５】プレフィルタの詳細図。
【図６】プレフィルタのネット部分を構成する繊維の断面拡大図。
【図７】光触媒フィルタの側断面図の一部。
【図８】（ａ）は光触媒フィルタを示す斜視図、（ｂ）は交換用の光触媒フィルタを折り畳んだ状態を示す図。
【図９】空気清浄ユニットを取り外した状態の空気清浄機の内部構成を示す正面図。
【図１０】図９の空気清浄機を示す側面図。
【図１１】図１０のＸ部分を拡大した図。
【符号の説明】
【００４７】
１        空気清浄機
１１        本体ケーシング
１２        吹き出し口
１３        上面吸い込み口
１４        側面吸い込み口
２１        正面パネル
２２        正面吸い込み口
３０        ファンモータ（送風部）
３１        送風ファン（送風部）
４０        空気清浄ユニット
４１        プレフィルタ
４１０      ネット
４１０ａ    芯
４１１      フレーム
４１２      光触媒
４１３      カテキン
４１４      被覆層
４２        放電部（活性種生成部）
４２１      イオン化線
４２２      対向電極
４２２ａ    実電極部
４２２ｂ    スリット部
４２３      ストリーマ放電電極（放電電極、ストリーマ放電器）
４２３ａ    電極保持部
４２３ｂ    電極部
４３        光触媒フィルタ（プリーツ状のエアフィルタ）
４３０      静電フィルタ
４３１      チタンアパタイト担持フィルタ
４４        プラズマ触媒フィルタ
４５        梱包物
４６        フィルタ保持フレーム
４６ａ      ズレ防止溝
４７        フレーム
５１        第１仕切り板
５２        スクロール（送風部）
５３        第２仕切り板
Ａ          交換用フィルタ収納部（収納部）
【図１】
2006014849.tif 000003
【図２】
2006014849.tif 000004
【図３】
2006014849.tif 000005
【図４】
2006014849.tif 000006
【図５】
2006014849.tif 000007
【図６】
2006014849.tif 000008
【図７】
2006014849.tif 000009
【図８】
2006014849.tif 000010
【図９】
2006014849.tif 000011
【図１０】
2006014849.tif 000012
【図１１】
2006014849.tif 000013